(57)【要約】【課題】遊技球の転動態様が多様化することで興趣が向上する遊技機を提供する。【解決手段】遊技盤ベース１８に所定の遊技部材を備えて構成した遊技領域Ａと、発射装置７から発射された遊技球を、前記遊技領域Ａへと案内する発射案内通路３０を備えた遊技機において、前記発射案内通路３０内に、遊技球の回転態様に変化を与える回転態様付与領域Ｂを備え、該回転態様付与領域Ｂは、内面に溝部３３が設けられた溝状通路部材３１を発射案内通路３０の所定領域に備えることにより構成した。【選択図】    図４
2006271515.tif 000002
【特許請求の範囲】
【請求項１】
遊技盤ベースに所定の遊技部材を備えて構成した遊技領域と、
発射装置から発射された遊技球を、前記遊技領域へと案内する発射案内通路を備えた遊技機において、
前記発射案内通路内に、遊技球の回転態様に変化を与える回転態様付与領域を備えたことを特徴とする遊技機。
【請求項２】
回転態様付与領域は、発射案内通路内の所定領域に溝部を設けて構成されていることを特徴とする請求項１に記載の遊技機。
【請求項３】
溝部は、発射案内通路の内面に直接設けられた螺旋形状溝にて構成されていることを特徴とする請求項２に記載の遊技機。
【請求項４】
溝部は、別成形された溝状通路部材の内面に形成されており、
該溝状通路部材は、発射案内通路の所定箇所に配設することにより発射案内通路の一部を構成することを特徴とする請求項２に記載の遊技機。
【請求項５】
溝状通路部材は、透光性部材から形成されていることを特徴とする請求項４に記載の遊技機。
【請求項６】
溝状通路部材は、変形可能であることを特徴とする請求項４又は５のいずれかに記載の遊技機。
【請求項７】
溝状通路部材を遊技者が変形操作可能な操作手段を備えたことを特徴とする請求項６に記載の遊技機。
【発明の詳細な説明】
【技術分野】
【０００１】
本発明は、発射案内通路内を通過する遊技球の回転態様に変化を与えることを可能とする遊技機に関する。
【背景技術】
【０００２】
弾球遊技機（いわゆるパチンコ機）には、多数の遊技釘や各種入賞口（例えば、始動入賞口や大入賞口等）などの各種遊技部材を遊技盤ベースに設けて遊技球の転動する遊技領域を構成している遊技盤が遊技機本体枠に取り付けられている。
そして、遊技者が発射装置のハンドルのレバーを時計回り方向に回転させると、駆動する発射ソレノイドにより槌先が作動して遊技球を叩打し、叩打された遊技球は、発射通路と発射レールからなる発射案内通路を通過して前記遊技領域に打ち出される。
このように発射案内通路を通過して遊技領域へと打ち出された遊技球は、遊技釘や所定の役物などの遊技部材に接触して流下方向が変化しつつ遊技領域を転動流下していき、所定の入賞口、例えば始動入賞口などに入賞することによって所定の賞球を得るものである（例えば特許文献１を参照。）。また、この種の遊技機において、発射された遊技球を遊技流域へと誘導案内する発射案内通路は、例えば金属板やプラスチック板で形成され、発射された遊技球の勢いを減殺しないように所定の遊技球通過空間をもって形成されている。
【特許文献１】特開２００４−２３０００８号公報
【発明の開示】
【発明が解決しようとする課題】
【０００３】
前記特許文献１に開示の先行技術を含め従来のこの種の遊技機では、発射された遊技球は、発射案内通路の外側部分に接触しながら遊技領域に案内され、反時計回りの縦回転が加わり、この縦回転が加わった状態で遊技領域に打ち出される。
しかし、発射案内通路には、遊技球が通過するに必要な所定の空間が設けられ、遊技球に極力抵抗が掛からないようにしているため、遊技領域に到達した遊技球の転動態様に変化を与える程の回転が加わることはなく、遊技領域に打ち出される遊技球には略一定の縦回転が加わった状態であるため、遊技領域にて遊技部材に接触した遊技球の跳ね返り方に変化があまり感じられず、遊技の興趣を向上するには至らなかった。
また、遊技球が遊技部材に接触した際の接触速度・接触角度によっては、遊技球の転動態様に変化を与えることもできるが、それだけでは遊技球の回転が転動態様に与える影響は微細であった。
本発明は、このような問題を解決するためになされており、その目的とするところは、遊技球の転動態様が多様化することで興趣が向上する遊技機を提供することである。
【課題を解決するための手段】
【０００４】
このような目的を達成するために、第１の発明は、遊技盤ベース１８に所定の遊技部材を備えて構成した遊技領域Ａと、発射装置７から発射された遊技球を、前記遊技領域Ａへと案内する発射案内通路３０を備えた遊技機において、前記発射案内通路３０内に、遊技球の回転態様に変化を与える回転態様付与領域Ｂを備えたことを特徴とする遊技機としたことである。なお、回転態様付与領域Ｂは、発射案内通路３０内の領域で、所定領域若しくは全領域を選択して設けることができる。
【０００５】
本発明によれば、上述のような構成を採用したことで、発射案内通路３０内の回転態様付与領域Ｂを通過した遊技球に様々な回転が加わる若しくは回転速度・通過速度等が変化することとなる。したがって、打ち出された遊技球が遊技領域Ａ内で遊技部材に接触したときの転動態様が変化する。
従来、遊技部材への接触角度・接触速度によって遊技球の転動態様はある程度予測できていたが、本発明によると、遊技球の回転速度や回転角度によって転動態様が様々に変化することになる。これにより遊技球の転動態様が多様化するので遊技の興趣が向上する。
【０００６】
第２の発明は、第１の発明において、回転態様付与領域Ｂは、発射案内通路３０内の所定領域に溝部３３を設けて構成されていることを特徴とする遊技機としたことである。
【０００７】
本発明によれば、第１の発明の効果とともに、回転態様付与領域Ｂが溝部３３を設けることにより構成されているものとしたため、溝部３３に案内されて遊技球の回転速度や回転角度が変化し、遊技領域Ａでの遊技球の転動態様が様々に変化する
【０００８】
第３の発明は、第２の発明において、溝部３３は、発射案内通路３０の内面に直接設けられた螺旋形状溝にて構成されていることを特徴とする遊技機としたことである。
【０００９】
本発明によれば、第２の発明の効果とともに、溝部３３が、発射案内通路３０の内面に直接設けられた螺旋形状溝であるため、発射されて発射案内通路３０内を通過する遊技球にはねじれ回転が加わり、遊技部材接触時の衝撃が増す。これにより、遊技球の転動態様が多様化することとなる。
【００１０】
第４の発明は、第２の発明において、溝部３３は、別成形された溝状通路部材３１の内面に形成されており、該溝状通路部材３１は、発射案内通路３０の所定箇所に配設することにより発射案内通３０路の一部を構成することを特徴とする遊技機としたことである。
【００１１】
本発明によれば、第２の発明の効果とともに、溝部３３が溝状通路部材３１の内面に形成され、発射案内通路３０の所定箇所に配設されるものであるため、溝状通路部材３１を発射案内通路３０の所望の場所を選択して配設することができる。これにより、遊技球に回転を掛ける場所を種々変更できるので、遊技球の転動態様が多様化する。例えば、発射装置７の近くに溝状通路部材３１を配設すれば、遊技球の回転速度は速くなり、遊技部材接触時の衝撃も大きい。一方、発射装置７から遠い場所に溝状通路部材３１を配設すると、遊技球の勢いが弱まっているので、回転速度は遅く、遊技部材接触時の衝撃は小さくなる。このように溝状通路部材３１を配設する場所によって遊技球の転動態様に変化を持たせることが出来る。
【００１２】
第５の発明は、第４の発明において、溝状通路部材３１は、透光性部材から形成されていることを特徴とする遊技機としたことである。
【００１３】
本発明によれば、第４の効果とともに、遊技球が溝部３３形状に応じて回転している様子が視認でき、興趣が向上する。
【００１４】
第６の発明は、第４又は第５の発明において、溝状通路部材３１は、変形可能であることを特徴とする遊技機としたことである。
【００１５】
本発明によれば、第４又は第５の発明の効果とともに、溝状通路部材３１に所定のねじり変形を加えれば、溝部３３を螺旋形状等に変形させることができ、様々な回転を遊技球に与えることができる。
【００１６】
第７の発明は、第６の発明において、溝状通路部材３１を遊技者が変形操作可能な操作手段を備えたことを特徴とする遊技機としたことである。
【００１７】
本発明によれば、第６の発明の効果とともに、遊技者が遊技中において溝状通路部材３１のねじれ具合を調整することができ、遊技者自信が遊技球の回転に変化を与えることができ、遊技に飽きが来ることもなく興趣が向上する。
【発明の効果】
【００１８】
本発明によれば、遊技球の転動態様が多様化することで興趣の向上を図り得る遊技機が提供できる。
【発明を実施するための最良の形態】
【００１９】
以下、本発明の一実施形態について説明する。なお、本実施形態は本発明の一例にすぎずなんらこれに限定解釈されるものではなく、本発明の範囲内で設計変更可能である。
【実施例１】
【００２０】
図１は、本発明を適用した弾球遊技機（パチンコ機ともいう）の一例を示す概略斜視図である。
弾球遊技機は、図１及び図２に示すように、外枠１の前面に内枠（ベースドア）２が回動自在に軸支され、該内枠２の前面には、遊技盤ベース１８に種々の遊技部材を備えて遊技領域Ａを構成した遊技盤１９が着脱自在に装着され、該遊技盤１９の背面には図示しない表示装置が着脱自在に装着されている。
【００２１】
遊技部材は、弾球遊技機において遊技に必要な全ての部材を言い、例えば、図１に示すような遊技球が転動する表側の遊技領域Ａを区画すると共に、該表側の遊技領域Ａに発射ソレノイド９ａから打ち出される遊技球を導く発射レール部（第二発射通路ともいう）２９を構成するガイドレール１５、表示装置の変動表示を起動すると共に、大当たりとするか否かの抽選処理を起動する始動入賞装置（始動入賞口ともいう）１０、大当たり時に開放するアタッカと称する特別電動役物の大入賞装置（大入賞口ともいう）１１、遊技球が入賞することにより遊技球の払い出しが行われる一般入賞口となる一般入賞装置１２、遊技領域での入賞を逃したアウト球を排出するアウト口１３、遊技盤ベース１８に打たれている図示しない多数の遊技釘、そして遊技球が転動可能なステージ１６、天通路１７などの遊技部材が一例として挙げられる。
【００２２】
前記発射レール部２９は、後述する発射通路２３とともに、発射装置７から発射された遊技球を、遊技領域Ａまで転動案内する発射案内通路３０を構成している。
本実施例の発射レール部２９は、例えば湾曲状に形成された外側ガイドレール１５ａと内側ガイドレール１５ｂを所定の間隔（遊技球を転動案内可能な間隔）をあけて遊技盤ベース１８の表面に並設することにより、該外側ガイドレール１５ａと内側ガイドレール１５ｂによって区画された遊技球通過領域を形成している。
【００２３】
遊技盤ベース１８は、前記各遊技部材を固定でき、かつ、容易に変形しない（曲がらない）又は変質しない程度の硬度・強度等を有する材質で形成されている。また、遊技盤ベース１８は、少なくともその一部が無色透明のアクリル樹脂材、ポリカーボネート樹脂、ポリアリレート樹脂などの透明性の高い硬質の合成樹脂材（透明部材）で形成され、裏側に配設される表示装置がその透明部材を介して視認可能とする。
また、樹脂以外の材質、例えばガラスなどを採用することも本発明の範囲内であり設計変更可能である。
なお、遊技盤ベースを介して遊技盤裏側の表示装置を視認可能とする構成を採用しない場合には、遊技盤ベース全体が非透明部材からなるものであっても構わない。
【００２４】
前記内枠２の前面には、図１に示すように、ガラス板４を嵌めたガラス扉３が回動自在に軸支され、該ガラス扉３閉鎖時には、該ガラス扉３の前側からガラス板４を介して前記遊技盤１９が視認される。
【００２５】
前記ガラス扉３を軸支した内枠２の前面下部には、図１では図示しない払出装置から払い出された遊技球が遊技球受入口５ａから供給されるとともに、発射装置７へと遊技球を供給するための遊技球供給皿（上皿）５と、該遊技球供給皿５満杯時に遊技球受入口５ａの内方で溢れ出た球（溢出球）を排出する下皿排出口６ａを有する下皿６とを、単一（同一）の取付ベース２１に一体に備えた皿ユニット２０が回動自在に軸支されている。
また、この下皿６には、発射装置７によって発射されたが、遊技領域Ａに到達しない遊技球（ファール球）と、遊技球供給皿５に備えられた球抜取装置５ｂを操作することによって、遊技球供給皿５から抜き取った遊技球（抜取球）が、前記下皿排出口６ａを介して排出される。
【００２６】
そして、図２に示すように、前記外枠１と内枠２からなる遊技機本体枠内の下部には、遊技球を遊技領域Ａへ向けて発射する発射装置７の遊技球発射部９を構成している発射ソレノイド９ａと、該発射ソレノイド９ａの前方に遊技球供給皿５から供給された遊技球を供給する球送り装置２２と、前記発射ソレノイド９ａの駆動により打ち出された遊技球を案内する発射通路（第一発射通路ともいう）２３と、前記発射装置７によって発射されたが、遊技領域Ａに到達しない遊技球を受け入れるファール球回収樋構造２６とが備えられている。
なお、本実施例では、図２に示すように、これら発射ソレノイド９ａと、球送り装置２２と、発射通路２３と、ファール球回収樋構造２６とが、単一の発射ユニット基板２８に備えられて遊技機本体枠内の下部に備えられている。
【００２７】
発射装置７は、図２に示すように、前記皿ユニット２０の反軸支側の切欠き部分に対応する内枠２の前面下部箇所に備えられ、遊技球を遊技領域Ａへ向けて発射するハンドル８と、前記発射ユニット基板２８の所定箇所に設けられた取付穴部２８ａに、槌先９ｂを斜め上方に向けた状態で傾斜状に固定して備えられ、前記ハンドル８のレバー８ａを時計回り方向に回転させることにより発射停止スイッチがONとなり駆動する前記発射ソレノイド９ａと、該発射ソレノイド９ａの駆動により作動し、球送り装置２２から供給された遊技球供給皿５からの遊技球を叩打して遊技球を表側の遊技領域Ａに打ち出す槌先９ｂとで構成されている。
【００２８】
発射通路２３は、図３乃至図５に示すように、発射ソレノイド９ａとファール球回収樋構造２６の切欠き開口端縁２６ａとの間で、前記発射ソレノイド９ａの前方から前記ファール球回収樋構造２６の切欠き開口端縁２６ａに向けて上り傾斜状で、かつ所定間隔（発射された遊技球を転動案内可能な間隔）をあけて前記発射ユニット基板２８に配設された上下一対のレール２４，２５によって構成されている。
【００２９】
本発明は、前記発射通路２３と前記発射レール部２９により構成された発射案内通路３０内の所定領域に、遊技球の回転態様に変化を与える回転態様付与領域Ｂを備えたことを特徴としており、以下、この特徴的な構成である回転態様付与領域Ｂの構成を中心に説明する。
【００３０】
回転態様付与領域Ｂは、本実施例では、発射案内通路３０内の所定領域に溝部３３を設けることにより構成され、該溝部３３によって発射案内通路３０内を通過する遊技球に様々な回転を加えたり若しくは回転速度・通過速度等を変化させたりすることで、遊技領域Ａに打ち出された遊技球の転動態様を多様化させるものである。
本実施例では、溝部３３により構成される回転態様付与領域Ｂを、前記発射案内通路３０を構成している発射通路２３の所定位置に備えている。
【００３１】
溝部３３は、本実施例では、図６に示すように別成形された両端開放状の溝状通路部材３１の内面に備えられており、図３乃至図５に示すように、該溝状通路部材３１を発射通路２３内の所定位置に備えて発射通路（発射案内通路）２３の一部を構成し、溝部３３により構成される回転態様付与領域Ｂを発射通路２３内に備えるものとした。
【００３２】
溝状通路部材３１は、例えば図３乃至図６（ａ）に示すように、所定長さ・所定外内径をもって、両端を開放した円筒状（パイプ状）に通路部材本体３２を形成するとともに、該通路部材本体３２の内面に、両端開放部３４にわたって凹設されている直線状の溝部３３を多数並設して構成している（図６（ａ）参照）。
【００３３】
溝部３３は、通路部材本体３２の内面に凹設して形成するものであってもよく、また、所定の突条を複数本設けて、夫々の突条間で溝部３３を形成するものであってもよく本発明の範囲内で設計変更可能である。
また、溝部３３の大きさは、溝底内面に遊技球が接触して転動する大きさであっても、溝部３３の上縁に接触して転動する程度の大きさであってもよく、特に限定解釈されず本発明の範囲内で設計変更可能である。さらに、溝部３３の配設本数は特に限定されず、また隣り合う溝部３３の大きさが異なる形態であっても本発明の範囲内である。
【００３４】
図６（ｂ）は、溝状通路部材３１の他の形態を示し、この図示例によると、複数本の溝部３３を通路部材本体３２の内面に螺旋状に設けた実施の一例を示す。また、一本の溝部を通路部材本体の内面に螺旋状に設けるものであっても良い。
このように、螺旋状の溝部３３を設けることにより、回転態様付与領域Ｂを通過する遊技球にはねじれ回転（遊技球の発射方向横回転）が加わる。ねじれ回転が加わることにより、遊技領域Ａに打ち出された遊技球が、種々の遊技部材に接触した際の転動態様が種々に変化することになる。
【００３５】
なお、溝状通路部材３１は、両端開放部３４の端縁３４ａが発射通路２３の表面に突出せず、同一平面となるように前記端縁３４ａを発射通路２３の下側レール２４内に埋設させて備えるのが好ましい。例えば、図５に示す実施の形態では、発射通路２３を構成する下側レール２４の所定領域に凹部２４ａを形成し、該凹部２４ａに溝状通路部材３１を埋設し、両端開放部３４の縁部３４ａが下側レール２４の表面と同一平面となるように配設しているが、例えば、特に図示はしないが、溝状通路部材３１を配設する下側レール２４の領域を、該溝状通路部材３１が嵌合可能なように切欠くとともに、該切欠き領域に溝状通路部材３１を嵌合させて両端開放部３４の縁部３４ａが下側レール２４の表面と同一平面となるように配設することも可能である。
また、本実施例では、溝状通路部材３１を発射通路２３の所定領域に備えるものとしているが、発射通路２３全体を溝状通路部材３１で構成するものとしてもよい。
【００３６】
従って、発射装置７によって発射された遊技球は、発射通路２３を転動し、該発射通路２３に備えた溝状通路部材３１内の回転態様付与領域Ｂを通過する際に、該回転態様付与領域Ｂに備えた溝部３３によってねじれ回転が加えられる。
そして、ねじれ回転が加わった遊技球は、該ねじれ回転が加わった状態で発射レール部２９を介して遊技領域Ａに打ち出される。そして、ねじれ回転が加わった状態で遊技領域Ａに備えられた種々の遊技部材に接触すると、遊技球は遊技者の予測のつかない転動（跳ね返り）をする。このような予測のつかない遊技球の転動態様が提供されることにより遊技の興趣が向上する。
「変形例１」
【００３７】
図７は、実施例１の変形例を示す。
実施例１では、回転態様付与領域Ｂを構成する溝状通路部材３１を、発射案内通路３０を構成している発射通路２３に備えるものとしたが、同じく発射案内通路３０を構成している発射レール部２９の所定領域を指定して備えるものとすることも可能で本発明の範囲内である。
【００３８】
実施例１のように発射通路２３に回転態様付与領域Ｂを備えれば、発射装置７に近く遊技球の発射勢いが強いことに起因して強力なねじれ回転が加わるが、図７のように発射レール部２９に備えるものとすれば前記発射通路２３に備える場合と比して、そのねじり回転力は弱くなり、遊技領域Ａで遊技部材に接触した際の転動態様も緩やかになる。このような作用は、発射レール部２９の下流側に行くにしたがって顕著に現れる。なお、本実施例では、図７に示すように発射レール部２９の下流側（遊技領域Ａ寄り）に備えるものとした。
また、この場合において発射レール部２９全体を溝状通路部材３１によって構成することも可能で本発明の範囲内である。
【００３９】
また、発射レール部２９に溝状通路部材３１を備える形態を採用する場合、溝状通路部材３１は、透光性部材から形成されているものとしてもよい。
このような透光性部材からなる溝状通路部材３１は、例えば、発射レール部２９の所定領域に備えることで、該溝状通路部材３１内を通過する遊技球の転動態様を遊技者が視認でき、遊技者は遊技球の転動態様の変化を楽しみながら遊技をすることができる。
「変形例２」
【００４０】
溝状通路部材３１は、変形可能に構成されているものであってもよい。
例えば、図６に示す溝状通路部材３１をもって説明すると、図６（ａ）に示した通路方向に直線状の多数の溝部３３を設けてなる溝状通路部材３１を、弾性変形可能な材料、例えばゴムや軟質合成樹脂材をもって形成し、この溝状通路部材３１をねじり回転させて、図６（ｂ）に示すように、前記直線状の溝部３３を螺旋状に変形させる形態が一例として挙げられる。
すなわち、このように溝状通路部材３１を変形可能に構成すれば、遊技店側の管理者などが日によって、あるいは時間帯によって、回転態様付与領域Ｂを構成する溝部３３形状を、直線状と螺旋状に相互に変形可能で、また溝部３３を螺旋状に変形させる際の強弱も微調整可能となる。なお、特に図示はしないが、具体的には、その変形された溝状通路部材３１の状態を、所定の操作によって維持する変形状態維持部材を備えるものとする。
「変形例３」
【００４１】
実施例１では、溝状通路部材３１を発射案内通路３０の所定領域に備えることで、発射案内通路３０内に回転態様付与領域Ｂを備える一例について説明したが、溝部３３を発射案内通路３０の内面に直接設け、該発射案内通路３０内に回転態様付与領域Ｂを備える形態も採用可能で本発明の範囲内である。
この発射案内通路３０内面に設けられる溝として、例えば図示はしないが、直線状の溝部形状や螺旋状の溝部形状が一例として挙げられる。また、溝部３３は、発射案内通路３０を構成している発射通路２３と発射レール部２９のいずれか一方若しくは双方の全域に設けるものとすることも可能である。
【実施例２】
【００４２】
図８は本発明遊技機の実施例２を示す図である。
本実施例は、溝状通路部材３１を遊技者が任意に変形操作可能な操作手段４０を備えたことを特徴とする実施の一例である。
なお、本実施例では、上述の通り溝状通路部材３１を変形操作可能な操作手段４０を備えた点に特徴的な構成を有するもので、溝状通路部材３１の基本的全体構成及びその他の遊技機構成については特に限定されず前記実施例１（変形例も含む）の説明を援用可能であるため、以下その特徴的な構成についての説明に留め、その他の遊技機構成についての詳細は省略する。図８（ａ）は、溝状通路部材３１の変形操作前の状態を示し、（ｂ）は変形操作中で溝状通路部材３１がねじれ変形している状態を示す。
【００４３】
例えば、図に基づいてその一例を説明すると、本実施例の操作手段４０は、弾性変形可能な材質をもって形成された溝状通路部材３１と、該溝状通路部材３１の一端３５の外周に一体に設けた第一歯車部３６と、該第一歯車部３６に噛み合って回転作動を伝達する第二歯車部３９を外周に設けた円盤状の回転操作部３８とで構成されている。
【００４４】
本実施例において、溝状通路部材３１は、他端側（発射装置７寄りの端部）３７のみを発射案内通路（発射レール部２９）３０と一体に固定して、該発射案内通路３０の任意箇所、例えば発射レール部２９の所定領域に配設されている。従って、第一歯車部３６を外周に備えた一端３５側は、発射案内通路（発射レール部２９）３０内で遊動可能に配されているものである。
そして、前記一端３５側に備えた第一歯車部３６に対応する所定位置、例えば前記第一歯車部３６が対向しているガラス扉３のガラス板４所定位置に、該第一歯車部３６に第二歯車部３９が噛み合った状態で回転操作部３８を突出可能に備える図示しない窓部を設けるとともに、前記回転操作部３８を前記窓部に前後方向（遊技機の奥行き方向）に回転可能に配設する。
【００４５】
従って、本実施例によれば、遊技機外において、遊技者自らが回転操作部３８を前後いずれかの方向に回転操作することにより、その回転作動が第二歯車部３９を介して第一歯車部３６に伝達されて溝状通路部材３１がねじれ変形する。
このような構成を採用することによって、遊技者は、遊技中若しくは遊技前に溝状通路部材３１の溝部３３形態を任意に変形調整することができるため、極めて遊技性の高い遊技機が提供可能である。
【００４６】
なお、本実施例では、遊技者の手動によって溝状通路部材３１を変形操作する実施の一形態を説明したが、遊技機前面側に備えられる操作ボタンのＯＮ・ＯＦＦ切り換え操作によって自動的に変形操作可能な構成を、本発明の範囲内において周知の技術的手段を用いて行い得るようにすることも可能である。例えば、操作ボタンに電気的に連係されて駆動する駆動部（駆動モータなど）の先端の歯車（回転作動伝達部）が、発射案内通路に他端側のみを固定して備えられた溝状通路部材の一端外周の歯車（回転作動被伝達部）に噛み合い配設されるように構成し、駆動部からの回転作動が伝達されることで溝状通路部材を変形操作する構成などが考えられる。
【図面の簡単な説明】
【００４７】
【図１】本発明遊技機の概略を示す全体斜視図。
【図２】ガラス扉を開放した状態の概略正面図。
【図３】遊技盤と溝状通路部材とを示す概略正面図。
【図４】遊技盤と溝状通路部材とを示す概略斜視図。
【図５】発射通路に溝状通路部材を備えた発射ユニット基板を示す概略斜視図。
【図６】溝状通路部材の一部を切欠いて示す概略斜視図で、（ａ）は溝部を直線状に構成した状態を示し、（ｂ）は溝部を螺旋状に構成した状態を示す。
【図７】変形例を示す図で、溝状通路部材を発射レールの下流側に備えた遊技盤の概略正面図。
【図８】実施例２を示し、操作手段を備えた溝状通路部材のみを取り出して示す概略図で、（ａ）は、操作手段を備えた溝状通路部材の概略斜視図、（ｂ）は操作手段の回転操作部を操作して溝状通路部材にねじれ変形を与えている状態を示す概略斜視図。
【符号の説明】
【００４８】
Ａ  遊技領域
Ｂ  回転態様付与領域
７  発射装置
１８  遊技盤ベース
１９  遊技盤
３０  発射案内通路
３１  溝状通路部材
３３  溝部
【図１】
2006271515.tif 000003
【図２】
2006271515.tif 000004
【図３】
2006271515.tif 000005
【図４】
2006271515.tif 000006
【図５】
2006271515.tif 000007
【図６】
2006271515.tif 000008
【図７】
2006271515.tif 000009
【図８】
2006271515.tif 000010